【手続補正書】
【提出日】平成17年5月13日(2005.5.13)
【手続補正１】
【補正対象書類名】明細書
【補正対象項目名】特許請求の範囲
【補正方法】変更
【補正の内容】
【特許請求の範囲】
【請求項１】
開いた状態の上顎と下顎との間に送り込まれたシートを、前記上顎と下顎とが閉じて綴じ針によって綴じる綴じ手段と、
前記綴じ手段を保持する保持手段と、
前記綴じ手段によりシートを綴じ損なった綴じ針を溜める針溜め部と、を備え、
前記保持手段の上流側部上端と前記綴じ手段の下顎は、前記シートが搬送される領域に配設してあり、かつ前記保持手段の上流側部上端が前記下顎の高さから上方に位置し、前記綴じ針溜め部は前記保持手段の上流側部上端と前記下顎の段差で形成されることを特徴とするシート後処理装置。
【請求項２】
前記シート搬送方向に対して交差する方向のシート端部を整合して、シート綴じ位置に前記シートの位置を決めるシート整合手段を備えたことを特徴とする請求項１に記載のシート後処理装置。
【請求項３】
前記下顎は固定されて前記綴じ針を突出し、かつ前記上顎は前記下顎に対して接近離間して前記綴じ針を折り曲げることを特徴とする請求項１又は２に記載のシート後処理装置。
【請求項４】
前記保持手段より上流でシートを案内するシート案内部を備え、前記シート案内部、前記保持手段の上流側部上端、前記下顎の順に高さが低くなるように、前記シート案内部と、前記保持手段の上流側部と、前記下顎とを配設したことを特徴とする請求項１乃至３のいずれか１項に記載のシート後処理装置。
【請求項５】
前記保持手段より上流でシートを案内するシート案内部を備え、前記シート案内部、前記保持手段の上流側部上端、前記下顎、前記保持手段の下流側部上端の順に高さが低くなるように、前記シート案内部と、前記保持手段の上流側部と、前記下顎と、前記保持手段の下流側部とを配設したことを特徴とする請求項１乃至４のいずれか１項に記載のシート後処理装置。
【請求項６】
前記保持手段の上流側部上端は、送られてくる前記シートを案内する案内部になっていることを特徴とする請求項１乃至５のいずれか１項に記載のシート後処理装置。
【請求項７】
開いた状態の上顎と下顎との間に送り込まれたシートを、前記上顎と下顎とが閉じて綴じ針によって綴じる綴じ手段と、
前記綴じ手段を保持する保持手段と、
前記綴じ手段によりシートを綴じ損なった綴じ針を溜める針溜め部と、を備え、
前記保持手段の上流側部と前記綴じ手段の下顎は、前記シートが搬送される領域に配設してあり、かつ前記保持手段の上流側部が前記下顎の高さから上方に位置し、前記綴じ手段と前記保持手段の上流側部との間と、前記綴じ手段と前記保持手段の下流側部との間との少なくとも、前記綴じ手段と前記保持手段の上流側部との間に、前記シートを綴じ損なった前記綴じ針を収納する隙間を備えたことを特徴とするシート後処理装置。
【請求項８】
前記保持手段の上流側に、前記シートを綴じ損なった前記綴じ針を収納する隙間を備えたことを特徴とする請求項１乃至７のいずれか１項に記載のシート後処理装置。
【請求項９】
前記綴じ手段と前記保持手段の上流側部との間の隙間は、前記シートを綴じ損なった前記綴じ針を案内する傾斜した案内面を有していることを特徴とする請求項７に記載のシート後処理装置。
【請求項１０】
前記綴じ手段と前記保持手段は、前記シート搬送方向の上流側に傾いていることを特徴とする請求項１乃至９のいずれか１項に記載のシート後処理装置。
【請求項１１】
前記綴じ手段と前記保持手段は、前記上顎と下顎との開口部が外部に表出するように変位可能に備えられていることを特徴とする請求項１乃至１０のいずれか１項に記載のシート後処理装置。
【請求項１２】
前記綴じ手段と前記保持手段は、前記上顎と下顎との開口部が外部に表出するように前記シート搬送方向の下流側から上流側に回転可能に備えられていることを特徴とする請求項１乃至１１のいずれか１項に記載のシート後処理装置。
【請求項１３】
シートに画像を形成する画像形成手段と、
前記画像を形成されたシートを綴じるシート後処理装置と、を備え、
前記シート後処理装置は、前記請求項１乃至１２のいずれか１項に記載のシート後処理装置であることを特徴とする画像形成装置。
【手続補正２】
【補正対象書類名】明細書
【補正対象項目名】００１２
【補正方法】変更
【補正の内容】
【００１２】
【課題を解決するための手段】
上記目的を達成するため、本発明のシート後処理装置は、開いた状態の上顎と下顎との間に送り込まれたシートを、前記上顎と下顎とが閉じて綴じ針によって綴じる綴じ手段と、前記綴じ手段を保持する保持手段と、前記綴じ手段によりシートを綴じ損なった綴じ針を溜める針溜め部と、を備え、前記保持手段の上流側部上端と前記綴じ手段の下顎は、前記シートが搬送される領域に配設してあり、かつ前記保持手段の上流側部上端が前記下顎の高さから上方に位置し、前記綴じ針溜め部は前記保持手段の上流側部上端と前記下顎の段差で形成されている。
【手続補正３】
【補正対象書類名】明細書
【補正対象項目名】００１３
【補正方法】変更
【補正の内容】
【００１３】
本発明のシート後処理装置は、前記シート搬送方向に対して交差する方向のシート端部を整合して、シート綴じ位置に前記シートの位置を決めるシート整合手段を備えている。
【手続補正４】
【補正対象書類名】明細書
【補正対象項目名】００１８
【補正方法】削除
【補正の内容】
【手続補正５】
【補正対象書類名】明細書
【補正対象項目名】００１９
【補正方法】変更
【補正の内容】
【００１９】
上記目的を達成するため、本発明のシート後処理装置は、開いた状態の上顎と下顎との間に送り込まれたシートを、前記上顎と下顎とが閉じて綴じ針によって綴じる綴じ手段と、前記綴じ手段を保持する保持手段と、前記綴じ手段によりシートを綴じ損なった綴じ針を溜める針溜め部と、を備え、前記保持手段の上流側部と前記綴じ手段の下顎は、前記シートが搬送される領域に配設してあり、かつ前記保持手段の上流側部が前記下顎の高さから上方に位置し、前記綴じ手段と前記保持手段の上流側部との間と、前記綴じ手段と前記保持手段の下流側部との間との少なくとも、前記綴じ手段と前記保持手段の上流側部との間に、前記シートを綴じ損なった前記綴じ針を収納する隙間を備えている。
【手続補正６】
【補正対象書類名】明細書
【補正対象項目名】００３８
【補正方法】変更
【補正の内容】
【００３８】
図２、図８に示すようにホルダ２１１，２１２は、ステープラ本体２０８を上下から挟んでシート後処理装置２００の本体２２１に固定している。ステープルカートリッジＣは、ステープラ本体２０８に着脱自在に設けてあり、不図示のステープル針を収納している。
【手続補正７】
【補正対象書類名】明細書
【補正対象項目名】００６３
【補正方法】変更
【補正の内容】
【００６３】
上記ステープラユニットＨ１，Ｈ２，Ｈ３は、図９に示すようにシート搬送方向の下流側から上流側に回動して、ステープラ本体２０８の開口部２２０を外部に開放することができるように、シート後処理装置本体２２１（図１、図８参照）に設けてある。ステープラユニットＨ１の場合は、図２に示すように、支持軸２２２，２２３によって、シート後処理装置本体２２１に設けてある。同様に、ステープラユニットＨ２の場合は、図６に示すように、支持軸２２４，２２５によって、シート後処理装置本体２２１に設けてある。ステープラユニットＨ３の支持軸は、図示省略してある。なお、上記ステープラユニットＨ１，Ｈ２，Ｈ３は、必ずしも回動するようになっている必要はない。固定されていてもよい。